(57)【要約】【課題】  暗号鍵の更新をより好適なタイミングで行う無線通信機器を提供する。【解決手段】  本実施例でのアクセスポイント装置は、アナログＴＶ信号からの映像データをノートＰＣに送出する機能を有する。本アクセスポイント装置では、当該アナログＴＶ信号のチャネルが切り替えられた際に（ステップ３１０）、ＴＣＰ通信を停止し（ステップ３１４）、認証（ステップ３０２）と暗号鍵の更新を行った上で（ステップ３０３）、この新たな暗号鍵に基づいてＴＣＰ接続を確立する。（ステップ３０５）。【選択図】      図３
2006186470.tif 000002
【特許請求の範囲】
【請求項１】
複数のデータソースからのデータを他の機器に無線で送信する無線通信機器において、
前記他の機器との認証を行う認証手段と、
前記データソースからの前記データを暗号鍵を用いて暗号化する暗号化手段と、
前記暗号化手段により暗号化された前記データを、前記認証手段により認証された前記他の機器に送信する通信手段と、
前記他の機器に送信する前記データを供給する前記データソースを切り換える切替手段と、
前記切替手段により前記データソースが切り換えられた際に、前記暗号化手段が使用する前記暗号鍵を更新する暗号鍵更新手段と
を備えることを特徴とする無線通信機器。
【請求項２】
請求項１記載の無線通信機器において、
前記暗号化手段が使用する暗号鍵による通信の経過時間を算出する計時手段をさらに備え、
前記暗号鍵更新手段は、前記計時手段により算出される前記暗号鍵による通信経過時間が所定時間を超過した際に、前記暗号化手段が使用する前記暗号鍵を更新すること
を特徴とする無線通信機器。
【請求項３】
請求項１記載の無線通信機器において、
前記暗号化手段が使用する暗号鍵による通信開始以降に前記通信手段により送出されたデータ量を計測するデータ量計測手段をさらに備え、
前記暗号鍵更新手段は、前記データ量計測手段により計測される前記暗号鍵による通信開始以降に前記通信手段により送出されたデータ量が所定量を超過した際に、前記暗号化手段が使用する前記暗号鍵を更新すること
を特徴とする無線通信機器。
【請求項４】
前記暗号鍵更新手段は、前記切替手段により前記データソースが切り替えられた際に、前記暗号化手段が使用する前記暗号鍵を新たに生成すること
を特徴とする請求項１乃至請求項３のいずれか１項記載の無線通信機器。
【請求項５】
複数のデータソースからのデータを他の機器に無線で送信する無線通信機器を制御するプログラムにおいて、
前記他の機器との認証を行う認証機能と、
前記データソースからの前記データを暗号鍵を用いて暗号化する暗号化機能と、
前記暗号化手段により暗号化された前記データを、前記認証機能により認証された前記他の機器に送信する通信機能と、
前記他の機器に送信する前記データを供給する前記データソースを切り換える切替機能と、
前記切替機能により前記データソースが切り換えられた際に、前記暗号化機能で使用する前記暗号鍵を更新する暗号鍵更新機能と
を備えることを特徴とするプログラム。
【請求項６】
前記暗号鍵更新機能は、前記切替手段により前記データソースが切り替えられた際に、前記暗号化機能で使用する前記暗号鍵を新たに生成すること
を特徴とする請求項５記載のプログラム。
【請求項７】
複数のデータソースからのデータを他の機器に無線で送信する無線通信方法において、
前記他の機器との認証を行う認証ステップと、
前記データソースからの前記データを暗号鍵を用いて暗号化し、前記認証ステップで認証された前記他の機器に送信する通信ステップと、
前記他の機器に送信する前記データを供給する前記データソースを切り換える切替ステップと、
前記切替ステップにより前記データソースが切り換えられた際に、前記通信ステップで暗号化に使用する前記暗号鍵を更新する暗号鍵更新ステップと
を備えることを特徴とする無線通信方法。
【請求項８】
前記暗号鍵更新ステップは、前記切替ステップにより前記データソースが切り換えられた際に、前記通信ステップで暗号化に使用する前記暗号鍵を新たに生成すること
を特徴とする請求項７記載の無線通信方法。
【発明の詳細な説明】
【技術分野】
【０００１】
本発明は、例えば無線ＬＡＮシステムに用いられるアクセスポイント装置等の無線通信機器、この無線通信機器を制御するプログラム、及び無線通信方法に関する。
【背景技術】
【０００２】
近年、アクセスポイント装置を介して端末が無線で通信する無線ＬＡＮシステムが急速に普及している。このような無線システムは、有線によるシステムと比して配線が不要で拡張性も高いが、一方で電波が届く範囲であればどこでもデータを受信でき、通信先の制限が困難であるため、セキュリティの確保が重要な問題となっている。ＩＥＥＥ８０２．１１規格では、通信データが第三者により盗取されることを防ぐため、ＷＥＰ（Ｗｉｒｅｄ  Ｅｑｕｉｖａｌｅｎｔ  Ｐｒｉｖａｃｙ）による暗号鍵方式が採用されている。また最近では、ＴＫＩＰ（Ｔｅｍｐｏｒａｌ  Ｋｅｙ  Ｉｎｔｅｇｒｉｔｙ  Ｐｒｏｔｏｃｏｌ）、ＷＲＡＰ（Ｗｉｒｅｌｅｓｓ  Ｒｏｂｕｓｔ  Ａｕｔｈｅｎｔｉｃａｔｅｄ  Ｐｒｏｔｏｃｏｌ）、ＣＣＭＰ（Ｃｏｕｎｔｅｒ  ｍｏｄｅ  ｗｉｔｈ  ＣＢＣ−ＭＡＣ）といった暗号化方式もＷＰＡ（Ｗｉ−Ｆｉ  Ｐｒｏｔｅｃｔｅｄ  Ａｃｃｅｓｓ）やＩＥＥＥ８０２．１１ｉで採用されている。
【０００３】
またさらに安全性を高めるため、通信毎に暗号鍵を更新するシステムが考えられている（例えば、特許文献１参照）。特許文献１では、通信毎にアクセスポイント装置側で暗号鍵を生成し、これをステーション端末側に送信することで、毎回異なる暗号鍵を使用する手法が提案されている。このように暗号鍵を任意に更新することのできる仕組みは、先述のＷＰＡやＩＥＥＥ８０２．１１ｉ等でも定義されている。
【０００４】
一方無線ＬＡＮは、ＩＥＥＥ８０２．１１ｂで１１Ｍｂｐｓ、ＩＥＥＥ８０２．１１ａ、ＩＥＥＥ８０２．１１ｇで５４Ｍｂｐｓといった比較的高いスループットを持つことから、一般的なデータ通信だけでなく、テレビやビデオといった映像データ等のリアルタイム性の高いデータを伝送する手段としても利用されている。
【０００５】
【特許文献１】特開平１１−２３４２６０号公報
【発明の開示】
【発明が解決しようとする課題】
【０００６】
しかしながら、特許文献１記載の手法では、ユーザが接続を切断しない限り暗号鍵を更新することはできない。よって例えばユーザが常時接続で使用し続ける場合等には、暗号鍵はその間更新されない。
【０００７】
データの安全性を向上するため、一定時間経過毎、若しくはある一定パケット数以上の通信が行われる毎に強制的に暗号鍵を更新することも考えられるが、このような手法では、新たな暗号鍵を生成してこの暗号鍵に基づいた接続を行うために、一度接続を切断する必要が生じる。つまり、その間ユーザはデータを送受信することができない。先述のようにリアルタイム性の高いデータを伝送している場合、例えばテレビ等の映像データを無線ＬＡＮを介してユーザが視聴しているような場合には、この問題は特に顕著となる。
【０００８】
そこで本発明は、暗号鍵の更新をより好適なタイミングで行う無線通信機器を提供することを目的とする。
【課題を解決するための手段】
【０００９】
上記目的を達成するために、本発明の無線通信装置は、複数のデータソースからのデータを他の機器に無線で送信する無線通信機器において、前記他の機器との認証を行う認証手段と、前記データソースからの前記データを暗号鍵を用いて暗号化する暗号化手段と、前記暗号化手段により暗号化された前記データを、前記認証手段により認証された前記他の機器に送信する通信手段と、前記他の機器に送信する前記データを供給する前記データソースを切り換える切替手段と、前記切替手段により前記データソースが切り換えられた際に、前記暗号化手段が使用する前記暗号鍵を更新する暗号鍵更新手段とを備えることを特徴とする。
【００１０】
本発明のプログラムは、複数のデータソースからのデータを他の機器に無線で送信する無線通信機器を制御するプログラムにおいて、前記他の機器との認証を行う認証機能と、前記データソースからの前記データを暗号鍵を用いて暗号化する暗号化機能と、前記暗号化手段により暗号化された前記データを、前記認証機能により認証された前記他の機器に送信する通信機能と、前記他の機器に送信する前記データを供給する前記データソースを切り換える切替機能と、前記切替機能により前記データソースが切り換えられた際に、前記暗号化機能で使用する前記暗号鍵を更新する暗号鍵更新機能とを備えることを特徴とする。
【００１１】
本発明の無線通信方法は、複数のデータソースからのデータを他の機器に無線で送信する無線通信方法において、前記他の機器との認証を行う認証ステップと、前記データソースからの前記データを暗号鍵を用いて暗号化し、前記認証ステップで認証された前記他の機器に送信する通信ステップと、前記他の機器に送信する前記データを供給する前記データソースを切り換える切替ステップと、前記切替ステップにより前記データソースが切り換えられた際に、前記通信ステップで暗号化に使用する前記暗号鍵を更新する暗号鍵更新ステップとを備えることを特徴とする。
【発明の効果】
【００１２】
本発明によれば、暗号鍵の更新をより好適なタイミングで行う無線通信機器を提供することができる。
【発明を実施するための最良の形態】
【００１３】
以下、本発明の無線通信機器、この無線通信機器を制御するプログラム、及び無線通信方法について、図面を参照しながら説明する。
【実施例１】
【００１４】
図１は、本発明の無線通信機器の実施例であるアクセスポイント装置を含む通信システムの構成を示す図である。この通信システムは、ノートＰＣ（Ｐｅｒｓｏｎａｌ  Ｃｏｍｐｕｔｅｒ）１０と、ノートＰＣ１０と無線ＬＡＮにより通信を行うアクセスポイント装置１１と、アクセスポイント装置１１に有線ＬＡＮケーブル１２を介して接続されるネットワーク１３とから構成される。尚、本通信システムにおいては、ノートＰＣ１０とアクセスポイント装置１１との間の無線通信は、ＩＥＥＥ８０２．１１、ＩＥＥＥ８０２．１１ａ、ＩＥＥＥ８０２．１１ｉ規格に準拠して行われる。
【００１５】
ノートＰＣ１０は、アクセスポイント装置１１と無線ＬＡＮによる無線通信を行う。ノートＰＣ１−は、アクセスポイント装置１１を介してネットワーク１３に接続することができ、また、アクセスポイント装置１１から送出される映像データを受信し、視聴することが可能である。ノートＰＣ１０は、アクセスポイント装置１１とのデータをやり取りする際に、データを暗号化及び復号化する機能を有する。
【００１６】
アクセスポイント装置１１は、ノートＰＣ１０とネットワーク１３との間を中継する中継装置であり、ノートＰＣ１０向けに無線ＬＡＮ用の無線サービスエリアを形成する一方で、有線ＬＡＮケーブル１２によりネットワーク１３に収容されている。ノートＰＣ１０とデータの送受信する際に、データを暗号化及び復号化する機能を有する。
【００１７】
また、アクセスポイント装置１１には、アナログＴＶ信号が入力できるようになっている。ノートＰＣ１０は、無線ＬＡＮ通信により、当該アナログＴＶ信号による映像データを受信し、視聴することができる。このアクセスポイント装置１１に入力されるアナログＴＶ信号のチャネルは、リモコン１４により切り替える。
【００１８】
図２は、アクセスポイント装置１１の構成を示すブロック図である。アクセスポイント装置１１は、ＭＰＵ（Ｍｉｃｒｏ  Ｐｒｏｃｅｓｓｉｎｇ  Ｕｎｉｔ）２０、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、時間情報を生成するＲＴＣ（Ｒｅａｌ  Ｔｉｍｅ  Ｃｌｏｃｋ）２３、アナログＴＶ信号が入力されるＴＶチューナユニット２４、アナログＴＶ信号をデジタルに変換し、エンコードするエンコーダ２５、リモコンインタフェース２６、有線ＬＡＮインタフェース２７、無線ＬＡＮインタフェース２８から構成されている。
【００１９】
ＭＰＵ２０は、アクセスポイント装置１１全体の動作を統括制御するために設けられたプロセッサであり、無線ＬＡＮインタフェース２８を介してノートＰＣ１０の認証を行う機能、ノートＰＣ１０と送受信するデータを暗号化／復号化する機能、リモコンインタフェース２６から入力される操作信号をデコードし、ＴＶチューナユニット２４のチャネル切替をする制御機能、エンコーダ２５により作成される映像データをノートＰＣ１０の要求に従って無線ＬＡＮインタフェース２８を介してノートＰＣ１０に送信制御する機能等を有する各種プログラムを実行する。
【００２０】
ＲＯＭ２１は上記プログラムが格納されている不揮発性メモリであり、ＲＡＭ２２は上記プログラムを実行する上でワークメモリとして使用される。ＲＴＣ２３は、計時専用のＩＣ（Ｉｎｔｅｇｒａｔｅｄ  Ｃｉｒｃｕｉｔｅ）であり、時間情報を生成する。ＭＰＵ２０は、ノートＰＣ１０との通信を開始した時刻をＲＡＭ２２に記録し、この通信開始時刻とＲＴＣ２３が生成する時間情報とを比較することにより、ノートＰＣ１０との接続を開始してからの経過時間を計算することができる。
【００２１】
ＴＶチューナユニット２４は、外部から入力されるアナログＴＶ信号のチャネルを切り替え、１つだけを選択する。この切り替えは、ユーザのリモコン１４による操作を受けて、ＭＰＵ２０が制御して行う。
【００２２】
エンコーダ２５は、ＴＶチューナユニット２４を介して入力されるアナログＴＶ信号をデジタル変換し、Ａ／Ｄ変換とデータの圧縮を行うエンコード処理を行うためのエンコーダＩＣである。作成される映像データは、例えばＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）にエンコードされたものである。
【００２３】
リモコンインタフェース２６は、ユーザがリモコン１４により行った操作に基づく赤外線リモコン信号を受信し、ＭＰＵ２０に伝えるためのインタフェースである。ユーザがリモコン１４でチャネルを切り換える操作をすると、リモコンインタフェース２６はそのリモコン信号を受信し、ＭＰＵ２０に伝達する。ＭＰＵ２−は、これに基づいてＴＶチューナユニット２４のチャネルを切り換える。
【００２４】
有線ＬＡＮインタフェース２７は、有線ＬＡＮケーブル１２を介してネットワーク１３に接続するためのインタフェースである。
無線ＬＡＮインタフェース２８は、無線ＬＡＮによりノートＰＣ１０と通信するためのインタフェースである。無線ＬＡＮインタフェース２８は、ＭＰＵ２０の制御の下、有線ＬＡＮインタフェース２７により接続されたネットワーク１３からのデータをノートＰＣ１０に送信したり、エンコーダ２５でエンコードされた映像データをノートＰＣ１０に送信したりする。
【００２５】
続いて、ノートＰＣ１０との接続及び通信にかかるアクセスポイント装置１１の処理の流れを説明する。図３は、アクセスポイント装置１１を制御するプログラムの、ノートＰＣ１０との接続及び通信にかかる処理の流れを示すフローチャートである。尚、この図における説明では、データの送受信にＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）とＨＴＴＰ（ＨｙｐｅｒＴｅｘｔ  Ｔｒａｎｓｆｅｒ  Ｐｒｏｔｏｃｏｌ）を使用するものとして説明する。ＩＰアドレスは、相互接続可能な値が予め設定されているものとする。
【００２６】
まず、アクセスポイント装置１１は、ノートＰＣ１０からの接続要求を無線ＬＡＮインタフェース２８で受け付ける（ステップ３０１）。この接続処理は、ＩＥＥＥ８０２．１１で規定されている無線接続であり、ｊｏｉｎ、ａｕｔｈｅｎｔｉｃａｔｉｏｎ、ａｓｓｏｃｉａｔｉｏｎという流れで接続要求を行う。ここでｊｏｉｎはノートＰＣ１０とアクセスポイント装置１１との同期を取る処理であり、ａｕｔｈｅｎｔｉｃａｔｉｏｎはオープンシステム認証である。ａｓｓｏｃｉａｔｉｏｎで、論理的な接続が完了する。
【００２７】
ステップ３０１で論理的な接続が確立した後、認証と暗号鍵の生成を行う。（ステップ３０２、ステップ３０３）。この認証及び暗号鍵の生成は、ＩＥＥＥ８０２．１１ｉで規定されている認証暗号方式であり、電子証明書によるＥＡＰ−ＴＬＳ認証と、４−ｗａｙ  ｈａｎｄｓｈａｋｅ、ｇｒｏｕｐ  ｋｅｙ  ｈａｎｄｓｈａｋｅと呼ばれるセッション暗号鍵生成及び暗号鍵配信ステップを持つ。４−ｗａｙ  ｈａｎｄｓｈａｋｅでは、ノートＰＣ１０との１対１の通信に使用される鍵情報を生成し、ｇｒｏｕｐ  ｗａｙ  ｈａｎｄｓｈａｋｅでは、ブロードキャストによる通信を行う際に使用する暗号鍵をアクセスポイント装置１１のＭＰＵ２０で生成し、ノートＰＣ１１に配信する。
【００２８】
暗号鍵を生成した後、ＲＴＣ２３を参照して、ノートＰＣ１０との通信開始時刻、即ち、ステップ３０３で作成した暗号鍵の使用開始時刻をＲＡＭ２２に記録する（ステップ３０４）。この開始時刻と、ＲＴＣ２３とを比較することにより、当該暗号鍵の使用時間を知ることが可能となる。
【００２９】
次に、ステップ３０３で作成した暗号鍵に基づいて、無線ＬＡＮインタフェース２８とノートＰＣ１０との間でのＴＣＰ接続を確立する（ステップ３０５）。ＴＣＰ接続が確立することにより、ノートＰＣ１０との間でのデータのやり取りが可能となる。
【００３０】
ＴＣＰ接続が確立した後、ＨＴＴＰで定義されるデータ要求コマンドであるＧＥＴコマンドを、無線ＬＡＮインタフェース２８でノートＰＣ１０から受信すれば（ステップ３０６）、これを受けて無線ＬＡＮインタフェース２８からデータの送信を開始する（ステップ３０７）。尚ここでは、無線ＬＡＮインタフェース２８から送出するデータは、アナログＴＶ信号をエンコーダ２５でエンコードした映像データをステップ３０３で作成した暗号鍵を用いて暗号化したものとする。
【００３１】
データを送信すれば、次にデータを受信した旨のＡＣＫをノートＰＣ１０から無線ＬＡＮインタフェース２８で受信したか否かを判断する（ステップ３０８）。ＡＣＫが返ってきていなければ（ステップ３０８のＮｏ）ＡＣＫの受信を待つ。ＡＣＫを受信すれば（ステップ３０８のＹｅｓ）、ノートＰＣ１０に送出すべき続きのデータがあるか否かを判断する（ステップ３０９）。続きのデータが無ければ（ステップ３０９のＮｏ）、処理を終了する。
【００３２】
ノートＰＣ１０に対して、まだ送出すべきデータがあれば（ステップ３０９のＹｅｓ）、ステップ３０３で作成した暗号鍵が所定時間以上使用されているか否か、若しくはユーザによるチャネルの切替があったか否かを判断する（ステップ３１０）。経過時間については、ステップ３０４でＲＡＭに記録した通信開始時刻（即ち暗号鍵の使用開始時刻）と、ＲＴＣ２３の時間とを比較することにより、算出することができる。また、チャネルの切替は、チャネル切替に係るリモコン信号をリモコンインタフェース２６で受信したか否かにより判断する。尚、チャネル切替にかかるリモコン信号をリモコンインタフェース２６で受信した場合には、このリモコン信号を受けて、ＴＶチューナユニット２４のチャネルを切り替える。
【００３３】
ステップ３１０での判断により、所定時間が経過せず、且つチャネルの切替が無かった場合（ステップ３１０のＮｏ）には、まだ暗号鍵を更新する必要が無いものと判断し、続きのデータを送信する（ステップ３０７）。所定時間が経過した場合、若しくはチャネル切替があった場合には（ステップ３１０のＹｅｓ）、暗号鍵を更新するための処理に入る。まず、ＲＡＭ２２に記録された通信開始時刻（即ちステップ３０３で作成した暗号鍵の使用開始時刻）を削除する（ステップ３１１）。
【００３４】
続いて、ヘッダにこれ以上データが無いことを示すフラグ（ｎｏ−ｄａｔａ）をセットしたデータを無線ＬＡＮインタフェース２８からノートＰＣ１０に向けて送信する（ステップ３１２）。この後、このデータを受信した旨のＡＣＫがノートＰＣ１０から無線ＬＡＮインタフェース２８に返ってきたか否かを判断する（ステップ３１３）。ＡＣＫが返ってきていなければ（ステップ３１３のＮｏ）ＡＣＫの受信を待つ。ＡＣＫがノートＰＣ１０から返ってくれば（ステップ３１３のＹｅｓ）ノートＰＣ１０とのＴＣＰ接続を切断し（ステップ３１４）、認証を行った上で（ステップ３０２）新たな暗号鍵を生成し（ステップ３０３）、この新たな暗号鍵に基づいたＴＣＰ通信をノートＰＣ１０と行う。
【００３５】
以上説明したように、本実施例によれば、リモコンインタフェース２６にチャネル切替にかかるリモコン信号を受信したことに基づいて、暗号鍵を更新するようにしている。チャネル切替時には、映像データは連続性を持たないため、このタイミングで同時にＴＣＰ接続を切断して暗号鍵を更新することで、ユーザのデータ送受信への支障を抑制することができる。
【００３６】
また、チャネルの切替があった場合だけでなく、暗号鍵の使用開始からの経過時間がある所定の時間以上経過した場合にも、強制的に暗号鍵を更新するようにしているため、たとえユーザが同じチャネルの映像データを視聴し続けたとしても、定期的に暗号鍵が更新されることとなり、安全性の向上を図ることができる。
【００３７】
時間の代わりに、無線ＬＡＮインタフェース２８からノートＰＣ１０に向けて送出されるデータのパケット数をＭＰＵ２０で実行されるプログラムで計測しても良い。この場合も、ある一定のパケット数を超過した場合に、強制的に暗号鍵を更新するようにすれば、同様の効果を得ることができる。
【００３８】
本実施例では、暗号鍵を更新する度に認証を行い、暗号鍵を生成し直すので、予め決められたいくつかの鍵の中から、１つの鍵を選んで通信するような手法と比して、より安全性が高い。
【００３９】
尚、本実施例では、アナログＴＶ信号のみを受け付けているが、他にも例えばビデオ信号とテレビ信号の切替などであっても良い。あるいは、入力される映像信号がデジタルであることも考えられ、その場合には、エンコーダ２５は必ずしも必要ない。
【００４０】
若しくは、必ずしも映像データでなくともよく、例えばラジオなどの音声データ等であることも考えられる。
また、本実施例では、リモコン１４からリモコンインタフェース２６に向けてリモコン信号を送信することでＴＶチューナユニット２４のアナログＴＶ信号のチャネルを切り替えているが、他にも無線ＬＡＮ通信によりノートＰＣ１０から無線ＬＡＮインタフェース２８を介して制御できるようにしても良い。
【図面の簡単な説明】
【００４１】
【図１】本発明の実施例１に係るアクセスポイント装置を含む通信システムの構成を示す図。
【図２】本発明の実施例１に係るアクセスポイント装置に構成を示すブロック図。
【図３】本発明の実施例１に係るアクセスポイント装置を制御するプログラムの、ノートＰＣとの接続及び通信に係る処理の流れを示すフローチャート。
【符号の説明】
【００４２】
１０・・・ノートＰＣ
１１・・・アクセスポイント装置
１２・・・リモコン
１３・・・有線ＬＡＮケーブル
１４・・・ネットワーク
２０・・・ＭＰＵ
２１・・・ＲＯＭ
２２・・・ＲＡＭ
２３・・・ＲＴＣ
２４・・・ＴＶチューナユニット
２５・・・エンコーダ
２６・・・リモコンインタフェース
２７・・・有線ＬＡＮインタフェース
２８・・・無線ＬＡＮインタフェース
【図１】
2006186470.tif 000003
【図２】
2006186470.tif 000004
【図３】
2006186470.tif 000005